(57)【要約】      （修正有）【課題】オンオフ時の温度差による熱膨張収縮への配慮と、ヒーター線の周方向の断熱性を配慮した電気カーペットを提供する。【解決手段】ヒーター線３の周方向に空気層４を備えた電気カーペットに関するものであり、電気カーペット上部材１と電気カーペット下部材２と長尺のヒーター線３とを備えた電気カーペットであって、前記電気カーペット下部材２の上面に配線したヒーター線３と、該ヒーター線３を覆うように電気カーペット下部材２の上面と溶着又は貼着した電気カーペット上部材１の下面とを備、前記ヒーター線３の周方向に空気層４を備えている。【選択図】図１
2012163269.tif 000002
【特許請求の範囲】
【請求項１】
電気カーペット上部材と電気カーペット下部材と長尺のヒーター線とを備えた電気カーペットであって、前記電気カーペット下部材の上面に配線したヒーター線と、該ヒーター線を覆うように電気カーペット下部材の上面と溶着又は貼着した電気カーペット上部材の下面とを備え、前記ヒーター線の周方向に空気層を備えていることを特徴とする電気カーペット。
【発明の詳細な説明】
【技術分野】
【０００１】
本発明は、電気カーペット上部材と電気カーペット下部材との間に蛇行させた長尺のヒーター線を配設した電気カーペットに関するものであり、更に詳細には、ヒーター線の周方向に空気層を備えた電気カーペットに関するものである。
【背景技術】
【０００２】
従来、この種の、電気カーペットのヒーター線の周方向には空気層は設けなく、逆に充填材等を充填して固定と保温性を保つようにしており、また、例えば、先に開示された、床面に接する裏面材６にヒーター８を取付け、そのヒーター８を表面材５で覆って電気カーペット本体２を構成する電気カーペットにおいて、前記裏面材６を繊維材９で構成し、その繊維材９の一面に熱反射皮膜１４を設けるとともに、気密性のある空気層１３を有するシート材１２を設けたもの（特許文献１参照）や、床面に接する裏面材６にヒーター８を取付け、そのヒーター８を表面材５で覆って電気カーペット本体２を構成する電気カーペットにおいて、前記裏面材６を繊維材９で構成し、その繊維材９の一面にシート部材１１を設け、前記シート部材１１にシート部材１２を被覆して気密性のある空気層１３を形成し、前記シート部材１２により形成する空気層１３の厚みｃを前記繊維材９と前記シート部材１１との厚みｄよりも小さくするもの（特許文献２参照）等が開示されている。
【特許文献１】特開平１１−１５９７７９号公報
【特許文献２】特開平１１−１７３５８５号公報
【発明の開示】
【発明が解決しようとする課題】
【０００３】
然し乍ら、前述の開示されている特許文献１〜２に記載の電気カーペットも空気層１３を設けて、断熱性に優れ、座り心地の良いカーペット本体構造によって省エネルギー化を計るものであるが、空気層１３は電気カーペットの裏面材の下面に設けているもので、単に、下方に設けた空気層によるクッション性と断熱効果を有しているもので、ヒーター線の周方向は密着させているものであり、オンオフ時の温度差による熱膨張収縮への配慮と、ヒーター線の周方向の断熱性は配慮されていないものである。
【課題を解決するための手段】
【０００４】
本発明は前記課題に鑑み、鋭意研鑽の結果、これらの課題を解決するもので、電気カーペット上部材と電気カーペット下部材と長尺のヒーター線とを備えた電気カーペットであって、電気カーペット下部材の上面に配線したヒーター線と、ヒーター線を覆うように電気カーペット下部材の上面と溶着又は貼着した電気カーペット上部材の下面とを備え、ヒーター線の周方向に空気層を備えているものである。
【発明の効果】
【０００５】
本発明は、電気カーペット下部材の上面に配線したヒーター線と、ヒーター線を覆うように電気カーペット下部材の上面と溶着又は貼着した電気カーペット上部材の下面とを備え、ヒーター線の周方向に空気層を備えているもので、ヒーター線がフリーであり、オンオフ時の温度差による熱膨張収縮にも周りと密着していないので、ストレスを与えることなく、更に、周りと密着していないので電気カーペットの使用時や収納時等の外部からのストレスにも強く、耐久性を有し、また、一旦空気層が加温されると抜群の保温性を有しているもので省エネルギーと成り、画期的で実用性の高い有効な発明である。
【発明を実施するための最良の形態】
【０００６】
以下、本発明の電気カーペットの実施の形態を図面によって具体的に説明すると、図１は本発明の電気カーペットの実施例の説明のための断面図である。
【０００７】
本発明は、電気カーペット上部材１と電気カーペット下部材２との間に蛇行させた長尺のヒーター線３を配設した電気カーペットに関するものであり、更に詳細には、ヒーター線３の周方向に空気層４を備えた電気カーペットに関するものであり、電気カーペット上部材１と電気カーペット下部材２と長尺のヒーター線３とを備えた電気カーペットであって、前記電気カーペット下部材２の上面に配線したヒーター線３と、該ヒーター線３を覆うように電気カーペット下部材２の上面と溶着又は貼着した電気カーペット上部材１の下面とを備え、前記ヒーター線３の周方向に空気層４を備えていることを特徴とするものである。
【実施例】
【０００８】
即ち、電気カーペットの基体は、電気カーペット上部材１と電気カーペット下部材２と長尺のヒーター線３とを備えているものである。
【０００９】
そして、ヒーター線３は、両端が商業電源と電気的接続をするためにコネクター又は電源コード（図示しない）に接続され、通電性の内部コアの発熱線と、その発熱線を被覆した絶縁性の合成樹脂の外皮から成る長尺なものである。
【００１０】
次に、コネクター又は電源コードは、電気カーペット上部材１と電気カーペット下部材２との間の周縁部の少なくとも一カ所の適宜箇所に取着したものである。
【００１１】
次いで、電気カーペット上部材１は、電気カーペット下部材２の上面と下面とを溶着又は貼着したもので、電気カーペット上部材１と電気カーペット下部材２との間にはヒーター線３が配線されているものである。
【００１２】
更に、空気層４は、ヒーター線３の周方向にを備えているもので、電気カーペット下部材２の上面と電気カーペット上部材１の下面との間に備えているものである。
【００１３】
更には、ヒーター線３が配線されたトンネル状のスペースは空気層４であり、空気層４の暖まった空気は保温性と断熱性を有し省エネルギーに成るものである。
【産業上の利用可能性】
【００１４】
本発明は、電気カーペット下部材の上面に配線したヒーター線と、ヒーター線を覆うように電気カーペット下部材の上面と溶着又は貼着した電気カーペット上部材の下面とを備え、ヒーター線の周方向に空気層を備えているもので、ヒーター線がフリーであり、オンオフ時の温度差による熱膨張収縮にも周りと密着していないので、ストレスを与えることなく、更に、周りと密着していないので電気カーペットの使用時や収納時等の外部からのストレスにも強く、耐久性を有し、また、一旦空気層が加温されると抜群の保温性を有しているもので省エネルギーと成る電気カーペットの提供するものである。
【図面の簡単な説明】
【００１５】
【図１】図１は本発明の電気カーペットの実施例の説明のための断面図である。
【符号の説明】
【００１６】
１      電気カーペット上部材
２      電気カーペット下部材
３      ヒーター線
４      空気層
【図１】
2012163269.tif 000003